(57)【要約】【課題】  土地の境界線や形や所在などに関する図面や建築物の設計や価値の積算や構造や工事に関する図面において、その図面に、その図面やその図面に表示されている土地や建築物などに関する種々の属性情報を記憶させ、また、記憶させた情報を簡単に読み取り可能とすることで、その図面やその図面に表示されている土地や建築物などに関する種々の前記属性情報を、誰でも容易に効率的に前記図面から確認できるようにした図面を提供する。【解決手段】  本発明の図面は、土地の境界線や形や所在などに関する図面であって、また、建築物の設計や価値の積算や構造や工事に関する図面であって、前記図面には、前記図面の外部から非接触方式により情報の書き込み及び読み取りが可能な非接触記憶媒体が一体に取り付けられている構成とする。【選択図】図１
2007183523.tif 000002
【特許請求の範囲】
【請求項１】
土地の境界線や形や所在などに関する図面であって、前記図面には、前記図面の外部から非接触方式により情報の書き込み及び読み取りが可能な非接触記憶媒体が一体に取り付けられていることを特徴とする図面。
【請求項２】
建築物の設計や価値の積算や構造や工事に関する図面であって、前記図面には、前記図面の外部から非接触方式により情報の書き込み及び読み取りが可能な非接触記憶媒体が一体に取り付けられていることを特徴とする図面。
【請求項３】
前記非接触記憶媒体が、前記図面内の複数の適所にそれぞれ一体に取り付けられていることを特徴とする請求項１または請求項２項に記載の図面。
【請求項４】
前記一体に取り付けるかわりに、前記図面には前記非接触記憶媒体を収納するための収納部が設けられていることを特徴とする請求項１から請求項３項に記載の図面。
【請求項５】
前記非接触記憶媒体が、非接触ＩＣカードまたは非接触ＩＣタグであることを特徴とする請求項１から請求項４項に記載の図面。
【請求項６】
前記図面が、土地の測量に基づく地積測量図面または実測図面、法務局の公図または法務局備え付け図面、土地の所在図、各市町村などの役場公図または役場備え付け図面、建築物設計図面または建築物価値積算のための調査図面または建築物構造図面や建築物工事用図面のいずれかであることを特徴とする請求項１から請求項５項に記載の図面。
【請求項７】
前記図面を集めて一つの本に製本されたものであることを特徴とする請求項１から請求項６に記載の図面。
【発明の詳細な説明】
【技術分野】
【０００１】  土地の境界線や形や所在などに関する図面であって、例えば、土地の測量に基づく地積測量図面や実測図面、土地の所在図、法務局の公図または法務局備え付け図面、各市町村などの役場公図または役場備え付け図面。あるいは、建築物の設計や価値の積算や構造や工事に関する図面であって、例えば、建築物設計図面または建築物価値積算のための調査図面または建築物構造図面や建築物工事用図面などに関する。
【背景技術】
【０００２】  従来土地の境界線や形や所在などに関する図面として、土地の測量に基づいた地積測量図面や実測図面、土地の所在図、法務局の公図や法務局備え付け図面、各市町村などの役場公図または役場備え付け図面などがある。前記図面はビニールフィルム（マイラー図などと呼ばれている）や紙などの材質からなり、所定の大きさの前記図面内に所定の筆数の土地の境界線や形や所在などを表示すると共に、その図面やその図面で表示された土地に関する属性情報として地番や名義人や面積や図面作成者や図面作成年月日などが表示されている。しかし、その属性情報はこれらに特定されるものではない。例えば、土地の名義人の変遷情報、現在の名義人の情報、土地の境界線に関する境界立会い経過情報、土地の分筆や合筆の経過情報、都市計画などの法的な規制情報、土地単価とその根拠情報、公簿地目や現況地目認定情報等種々の属性情報がある。
従来の前記図面では表示スペースに限りがあるので前記属性情報を記載するのも限度があり、また、その属性情報を記載すればするほどその図面は見づらくなるという問題があるので  、前記属性情報のうち、前記図面上には、その図面の用途に応じて主な前記属性情報（以下属性情報Ａという）を記載して、それ以外の前記属性情報（以下属性情報Ｂという）を別途書面などに記載している。
しかしながら、前記図面に表示されている土地の買収交渉や売買契約や登記などの場合において、前記図面と、その図面やその図面で表示された土地に関する属性情報Ｂを確認する際には、前記図面と、その図面やその図面で表示された土地に関する属性情報Ｂが記載された書面などを別々に見比べながら必要事項を確認していかなければならないので、その図面と属性情報Ｂとの確認ミスの生じる危険性があったり、その確認作業の効率が悪いという問題がある。【０００３】  また、従来建築物の設計や価値の積算や構造や工事に関する図面として、建築物設計図面または建築物価値積算のための調査図面または建築物構造図面や建築物工事用図面などがある。
これら図面には、その図面やその図面で表示されている建築物に関する属性情報としてその建築物が立っている地番や所有者や建築面積や図面作成者や図面作成年月日などが表示されている。しかし、その属性情報はこれらに特定されるものではない。例えば、建築物デザイン決定情報や都市計画や建築基凖法などの法的規制情報等や建築物価値調査状況情報、工事計画決定情報等種々の属性情報がある。
従来のそれら図面では表示スペースに限りがあるので前記属性情報を記載するのも限度があり、また、前記属性情報を記載すればするほどその図面は見づらくなるという問題があるので、前記属性情報のうち、図面上には、その図面の用途に応じて主な前記属性情報（以下属性情報Ｃという）を記載して、それ以外の前記属性情報（以下属性情報Ｄという）を別途書面などに記載しているのである。
しかしながら、それら図面に表示されているの建築物の買収交渉や売買契約や登記や工事などを行う場合において、前記図面と、その図面やその図面で表示された建築物に関する属性情報Ｄを確認する際には、前記図面と、その図面やその図面に表示された建築物に関する属性情報Ｄが記載された書面などを別々に見比べながら必要事項を確認していかなければならないので、前記図面と属性情報Ｄとの確認ミスの生じる危険性があったり、その確認作業の効率が悪いという問題がある。【０００４】  特に、公共事業計画や民間の大規模開発計画などに基づいてある地域の大規模な土地建物等の買収交渉や買収契約や登記や建築などの事業を進めて行く場合においては、前記図面の数や前記属性情報の情報量は膨大なものとなるのでますます前記図面と属性情報Ｂや属性情報Ｄとの確認ミスの生じる危険性があったり、その確認作業の効率が悪いという問題がある。
また、年月の経過と共に前記確認ミスも起こりやすくなり、前記確認作業の効率も下がります。
さらに前記確認作業を間違えた場合には、関係人との間でトラブルが発生したり、買収事業が円滑に進まないなどの危険性があるという問題もあります。【０００５】  以上のような問題がありますので、前記図面からその図面やその図面上に表示されている土地や建築物などに関する前記属性情報Ｂや属性情報Ｄの確認が容易に効率的にできる技術が現在求められています。
【発明の開示】
【発明が解決しようとする課題】
【０００６】  土地の境界線や形や所在などに関する図面や建築物の設計や価値の積算や構造や工事に関する図面において、その図面に、その図面やその図面に表示されている土地や建築物などに関する種々の前記属性情報Ｂや属性情報Ｄを記憶させ、また、記憶させた情報を簡単に読み取り可能とすることで、その図面やその図面に表示されている土地や建築物などに関する種々の前記属性情報Ｂや属性情報Ｄを、誰でも容易に効率的に前記図面から確認できるようにした図面を提供する。
【課題を解決するための手段】
【０００７】  前記目的を達成するため、本発明の図面は、土地の境界線や形や所在などに関する図面であって、前記図面には、前記図面の外部から非接触方式により情報の書き込み及び読み取りが可能な非接触記憶媒体が一体に取り付けられていることを特徴とする。【０００８】  また、本発明の図面は、建築物の設計や価値の積算や構造や工事に関する図面であって、前記図面には、前記図面の外部から非接触方式により情報の書き込み及び読み取りが可能な非接触記憶媒体が一体に取り付けられていることを特徴とする。【０００９】  さらに、本発明の図面は、前記非接触記憶媒体が、前記図面内の複数の適所にそれぞれ一体に取り付けられている構成とすることができる。【００１０】  さらにまた、本発明の図面は、前記一体に取り付けるかわりに、前記図面には前記非接触記憶媒体を収納するための収納部が設けられている構成とすることもできる。【００１１】  そして、本発明の図面は、前記非接触記憶媒体が、非接触ＩＣカードまたは非接触ＩＣタグである構成とすることができる。【００１２】  そしてまた、本発明の図面は、前記図面が、土地の測量に基づく地積測量図面または実測図面、法務局の公図または法務局備え付け図面、士地の所在図、各市町村などの役場公図または役場備え付け図面、建築物設計図面または建築物価値積算のための調査図面または建築物構造図面や建築物の工事用図面のいずれかである構成とすることができる。【００１３】  さらには、本発明の図面は、前記図面を集めて一つの本に製本された構成とすることができる。
【発明の効果】
【００１４】  本発明にかかる非接触記憶媒体付き図面によれば、図面に情報記憶可能な記憶媒体が一体に取り付けられているのであるいは収納されているので、それぞれの図面の用途に応じた種々の前記属性情報Ｂや属性情報Ｄを記憶させ、また、記憶させた前記属性情報Ｂや属性情報Ｄを簡単に読み取り確認することができるという効果がある。
言い換えれば、土地や建築物の買収事業や売買契約や登記や工事などの場合に、当該土地や建築物が表示されている前記図面と、その図面に関する前記属性情報Ｂや属性情報Ｄを確認する際に、その確認のための人員や労力や確認ミスを大幅に削減できる。
【発明を実施するための最良の形態】
【００１５】  図１は、本発明の実施形態に係る土地の測量に基づく実測図面の平面図であって、その図面１の中央に複数の土地（以下筆という）の境界線（境界線を結べば土地の形になる）２を表示するとともに、その図面１やその図面１で表示された筆に関する前記属性情報Ａ３が表示されている。すなわち、境界線２の中に地番と名義人と現況地目などを表示して、図面１の斜め下には作成年月日と図面作成者、図面１の中央上部にはその図面の名前と所在地、図面１の斜め左上には方位と縮尺などの属性情報Ａ３が表示されている。図面１の素材は普通はビニールフィルム（マイラー図と呼ばれている）や紙質である。【００１６】  また、図面１の斜め右上の一部には、非接触記憶媒体である非接触ＩＣカード４が一体に取り付けられている。
取り付け方法としては、図２に示すように図面に凹部を設けて埋め込む構造や、図３に示すように図面に貼り込まれる構造、図４に示すように図面に貼り付ける構造など、種々の取り付け構造を用いる事ができ、特に限定されない。
あるいはまた、その取り付け場所や取り付ける数は１つに限らない。図面内の所望の箇所にそれぞれ非接触記憶媒体である非接触ＩＣカード４を取り付けることも可能である。
さらにまた、図面に非接触記憶媒体である非接触ＩＣカード４を一体に取り付けるかわりに、図５に示すように、図面の一部に、非接触記憶媒体である非接触ＩＣカード４を収納可能な空間からなる収納部５を設けて、この収納部５に対して、非接触ＩＣカード４を挿入して設置または取出しが出来るようにすることもできる。この収納部５には開閉可能な扉６が設けられて、収納部５に収納された非接触ＩＣカード４が汚れたり不用意に取り出されないようにしてある。【００１７】  非接触記憶媒体であるＩＣカード４は、図６に示すように、カード基材本体内に、ＩＣ７とこのＩＣ７に接続されたアンテナコイル８とが内蔵され、このアンテナコイル８により、外部のＩＣカードリーダライタ１４と電波で通信できるように構成されている。
また、非接触記憶媒体は、非接触ＩＣカード４に限定されるものではなく、非接触ＩＣタグのように非接触によりデータの送受信およびデータの記憶が行える機能を有する媒体であれば適応可能である。
例えば、非接触ＩＣタグのように小型サイズの非接触記憶媒体では、非接触ＩＣカードよりも小さなスペース内に一体に取り付けたり収納したりする事が可能となる。【００１８】  非接触記憶媒体である非接触ＩＣカード４には、図８に示すように、ＩＣカードリーダライタ１４等の外部デバイスと通信を行う為のアンテナコイル８と、非接触インターフェース９と、ＣＰＵ１０と、不揮発性メモリであるＥＥＰＲＯＭ１１及びＲＯＭ１２と、揮発性メモリであるＲＡＭ１３とが備えられている。【００１９】  非接触ＩＣカード４のＥＥＰＲＯＭ１１は、図面１や図面１に表示された筆の前記属性情報Ｂなどが記憶され、ＲＯＭ１２には、予め処理手順などのプログラムが記憶され、ＲＡＭ１３には作業用情報などが記憶される。【００２０】  次に、本発明の非接触記憶媒体付き図面に所望の情報を書き込んで記憶させる方法について説明する。
まず、例えば、土地に関する属性情報Ｂが記憶されていない非接触ＩＣカード４を図面１に一体に取り付けておき、図７に示すように、ＩＣカードリーダライタ１４をその非接触ＩＣカード４に近づけ、図面１やその図面１内に表示されている筆に関する前記属性情報ＢをＩＣカードリーダライタ１４から非接触ＩＣカード４のＥＥＰＲＯＭ１１に書き込む方法がある。
また、他の方法としては非接触ＩＣカード４を図面１に一体に取り付ける前の段階で、図面１やその図面１内に表示されている土地に関する前記属性情報ＢをＩＣカードリーダライタ１４から非接触ＩＣカード４のＥＥＰＲＯＭ１１に書き込んだ後、図面１に一体に取り付ける方法がある。【００２１】  そして、図面１やその図面１内に表示されている筆に関する前記属性情報Ｂを非接触ＩＣカード４に記憶させておけば、図面１に表示されている筆の買収交渉や売買契約や登記などの場合において、図面１と、その図面１やその図面１で表示された筆に関する前記属性情報Ｂを確認する際に、図面１からその図面１やその図面１で表示されている筆に関する前記属性情報Ｂを読みたい場合には、図７に示すようにＩＣカードリーダライタ１４をその非接触ＩＣカード４に近づけることで、非接触ＩＣカード４のＥＥＰＲＯＭ１１に記憶されている図面１やその図面１で表示されている筆に関する前記属性情報ＢをＩＣカードリーダライタ１４で読み取り、ＩＣカードリーダライタ１４の表示部に表示させることで知らせる事ができる。【００２２】  図９は、図１の図面１に表示されている筆に関する属性情報Ｂを記載した書面１５である。具体的には、当該筆の境界線確定のための立ち会い状況を記載した書面と現況地目認定のための現地立会状況を記載した書面のそれぞれの平面図である。
本発明者は公共事業に基づくダム建設事業に深く関わった者でありますが、その事業においては１千筆にも及ぶ土地の調査を行い、図面１やその図面１に表示されている筆に関する属性情報Ｂを記載した書面も膨大な数にのぼりました。それら書面は所定の区域（あるいは所定の業務あるいは所定の関係人）ごとにファイルして書庫等に保管します。
このような事業を行っていく場合に、前記図面１からその必要な属性情報Ｂを知る事が出来れば、従来のように図面１とその属性情報Ｂが記載された書面を別々に確認していくことよりも、その確認の作業の間違いが少なくかつより効率的にその事業を進めて行くことが可能になります。
【図面の簡単な説明】
【００２３】
【図１】本発明の実施形態にかかる平面図である。
【図２】図面にＩＣカードを一体に取り付ける方法を説明した斜視図である。
【図３】図面にＩＣカードを一体に取り付ける方法を説明した斜視図である。
【図４】図面にＩＣカードを一体に取り付ける方法を説明した斜視図である。
【図５】図面にＩＣカードを収納する場合を説明した斜視図である。
【図６】非接触ＩＣカードの平面図である。
【図７】本発明の実施形態にかかる非接触記憶媒体付き図面の使用状態を説明するたの図である。
【図８】本発明の実施形態にかかる非接触記憶媒体付き図面の非接触ＩＣカードのシステムブロック図である。
【図９】図１に表示された筆に関する属性情報Ｂを記載した書面の平面図である。
【符号の説明】
【００２４】１      図面
２      境界線
３      属性情報Ａ
４      非接触ＩＣカード
５      収納部
６      扉
７      ＩＣ
８      アンテナコイル
９      非接触インターフェース
１０    ＣＰＵ
１１    ＥＥＰＲＯＭ
１２    ＲＯＭ
１３    ＲＡＭ
１４    ＩＣカードリーダライタ
１５    属性情報Ｂを記載した書面
【図１】
2007183523.tif 000003
【図２】
2007183523.tif 000004
【図３】
2007183523.tif 000005
【図４】
2007183523.tif 000006
【図５】
2007183523.tif 000007
【図６】
2007183523.tif 000008
【図７】
2007183523.tif 000009
【図８】
2007183523.tif 000010
【図９】
2007183523.tif 000011